【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
セルラ通信システムにおけるユーザ装置（ＵＥ）の動作方法であって、
第１のサブフレームＴにおいて基地局からダウンリンク制御情報を受信することであって、前記ダウンリンク制御情報はハイブリッド自動再送要求（ＨＡＲＱ）のタイミングオフセットＫの指標を含む、ことと、
第２のサブフレームＴ２において無線アクセスノードから第２のダウンリンク制御情報を受信することであって、前記第２のダウンリンク制御情報は、第２のＨＡＲＱのタイミングオフセットＫ２の指標を含み、前記タイミングオフセットＫ２は、対応するダウンリンク送信に対するＨＡＲＱフィードバックがサブフレームＴ＋Ｋにおいて生じるようなオフセットである、ことと、
前記サブフレームＴ＋Ｋにおいて前記基地局へ複数のダウンリンクＨＡＲＱフィードバックを送信することを含む、方法。
【請求項２】
請求項１に記載の方法であって、更に、
前記複数のダウンリンクＨＡＲＱフィードバックを、単一のダウンリンクＨＡＲＱフィードバック送信に統合することを含み、
前記サブフレームＴ＋Ｋにおいて前記複数のダウンリンクＨＡＲＱフィードバックを送信することは、前記サブフレームＴ＋Ｋにおいて前記単一のダウンリンクＨＡＲＱフィードバック送信を送信することを含む、方法。
【請求項３】
請求項２に記載の方法であって、
前記複数のダウンリンクＨＡＲＱフィードバックを、前記単一のダウンリンクＨＡＲＱフィードバック送信に統合することは、前記複数のダウンリンクＨＡＲＱフィードバックを、前記単一のダウンリンクＨＡＲＱフィードバック送信に対するコードワードに結合符号化することを含む、方法。
【請求項４】
請求項２または３に記載の方法であって、
前記ダウンリンク制御情報は、更に、前記複数のダウンリンクＨＡＲＱフィードバックのどのフィードバックが前記単一のダウンリンクＨＡＲＱフィードバック送信に統合されるかを示す情報を含む、方法。
【請求項５】
請求項１から４のいずれか１項に記載の方法であって、前記ＨＡＲＱタイミングオフセットＫの前記指標は、前記ＨＡＲＱタイミングオフセットＫに対する値である、方法。
【請求項６】
請求項１から４のいずれか１項に記載の方法であって、前記ＨＡＲＱタイミングオフセットＫの前記指標は、値Ｓであり、前記ＨＡＲＱタイミングオフセットＫ＝Ｎ＋Ｓであり、Ｎは予め定義された値である、方法。
【請求項７】
請求項１から４のいずれか１項に記載の方法であって、前記ＨＡＲＱタイミングオフセットＫの前記指標は、値Ｓであり、前記ＨＡＲＱタイミングオフセットＫ＝Ｎ＋Ｓであり、Ｎは予め設定された値である、方法。
【請求項８】
請求項１から４のいずれか１項に記載の方法であって、前記ＨＡＲＱタイミングオフセットＫの前記指標は、値Ｓであり、前記ＨＡＲＱタイミングオフセットＫ＝Ｎ＋Ｓであり、Ｎは前記ＵＥの予め決定された最小のＨＡＲＱタイミングオフセットである、方法。
【請求項９】
請求項１から４のいずれか１項に記載の方法であって、前記ＨＡＲＱタイミングオフセットＫの前記指標は、値Ｘであり、前記ＨＡＲＱタイミングオフセットＫは前記値Ｘの関数である、方法。
【請求項１０】
請求項１から９のいずれか１項に記載の方法であって、前記複数のダウンリンクＨＡＲＱフィードバックのＨＡＲＱフィードバックは、ＨＡＲＱフィードバックフラグを含み、前記ＨＡＲＱフィードバックフラグは、各ダウンリンクデータが前記ＵＥにより正常に受信された場合には確認応答であり、前記各ダウンリンクデータが前記ＵＥにより正常に受信されなかった場合には否定応答であり、各ダウンリンク制御情報が前記ＵＥにより受信されなかった場合には、ダウンリンク制御情報の失敗の指標である、方法。
【請求項１１】
セルラ通信システムに対するユーザ装置（ＵＥ）であって、
送受信器と、
少なくとも１つのプロセッサと、
前記少なくとも１つのプロセッサにより実行可能な命令を格納したメモリを有し、それにより、前記ＵＥは、
前記送受信器を介して、第１のサブフレームＴにおいて基地局からダウンリンク制御情報を受信し、ここで、前記ダウンリンク制御情報はハイブリッド自動再送要求（ＨＡＲＱ）のタイミングオフセットＫの指標を含み、
前記送受信器を介して、第２のサブフレームＴ２において無線アクセスノードから第２のダウンリンク制御情報を受信し、ここで、前記第２のダウンリンク制御情報は、第２のＨＡＲＱのタイミングオフセットＫ２の指標を含み、前記タイミングオフセットＫ２は、対応するダウンリンク送信に対するＨＡＲＱフィードバックがサブフレームＴ＋Ｋにおいて生じるようなオフセットであり、
前記送受信器を介して、前記サブフレームＴ＋Ｋにおいて前記基地局へダウンリンクＨＡＲＱフィードバックを送信するように動作可能である、ＵＥ。
【請求項１２】
セルラ通信システムにおける基地局の動作方法であって、 
第１のサブフレームＴにおいてユーザ装置（ＵＥ）へダウンリンク制御情報を送信することであって、前記ダウンリンク制御情報はハイブリッド自動再送要求（ＨＡＲＱ）のタイミングオフセットＫの指標を含む、ことと、
第２のサブフレームＴ２においてＵＥへ第２のダウンリンク制御情報を送信することであって、前記第２のダウンリンク制御情報は、第２のＨＡＲＱのタイミングオフセットＫ２の指標を含み、前記タイミングオフセットＫ２は、対応するダウンリンク送信に対するＨＡＲＱフィードバックがサブフレームＴ＋Ｋにおいて生じるようなオフセットである、ことと、
前記サブフレームＴ＋Ｋにおいて前記ＵＥからダウンリンクＨＡＲＱフィードバックを受信することを含む、方法。
【請求項１３】
請求項１２に記載の方法であって、
前記サブフレームＴ＋Ｋにおける前記ダウンリンクＨＡＲＱフィードバックは、複数のダウンリンクＨＡＲＱフィードバックフラグの組み合わせである、前記サブフレームＴ＋Ｋにおける単一のダウンリンクＨＡＲＱフィードバック送信を含む、方法。
【請求項１４】
請求項１３に記載の方法であって、前記単一のダウンリンクＨＡＲＱフィードバック送信は、前記複数のダウンリンクＨＡＲＱフィードバックフラグの結合符号化を表す、方法。
【請求項１５】
請求項１３または１４に記載の方法であって、前記ＨＡＲＱフィードバックはフィードバックフラグを含み、前記ダウンリンク制御情報は、更に、前記フィードバックフラグのどれが前記単一のダウンリンクＨＡＲＱフィードバック送信に統合されるかを示す情報を含む、方法。
【請求項１６】
請求項１２から１５のいずれか１項に記載の方法であって、前記ＨＡＲＱタイミングオフセットＫの前記指標は、前記ＨＡＲＱタイミングオフセットＫに対する値である、方法。
【請求項１７】
請求項１２から１５のいずれか１項にに記載の方法であって、前記ＨＡＲＱタイミングオフセットＫの前記指標は、値Ｓであり、前記ＨＡＲＱタイミングオフセットＫ＝Ｎ＋Ｓであり、Ｎは予め定義された値である、方法。
【請求項１８】
請求項１２から１５のいずれか１項に記載の方法であって、前記ＨＡＲＱタイミングオフセットＫの前記指標は、値Ｓであり、前記ＨＡＲＱタイミングオフセットＫ＝Ｎ＋Ｓであり、Ｎは予め設定された値である、方法。
【請求項１９】
請請求項１２から１５のいずれか１項に記載の方法であって、前記ＨＡＲＱタイミングオフセットＫの前記指標は、値Ｓであり、前記ＨＡＲＱタイミングオフセットＫ＝Ｎ＋Ｓであり、Ｎは前記ＵＥの予め決定された最小のＨＡＲＱタイミングオフセットである、方法。
【請求項２０】
請求項１２から１５のいずれか１項に記載の方法であって、前記ＨＡＲＱタイミングオフセットＫの前記指標は、値Ｘであり、前記ＨＡＲＱタイミングオフセットＫは前記値Ｘの関数である、方法。
【請求項２１】
請求項１２から２０のいずれか１項に記載の方法であって、前記ＨＡＲＱフィードバックは、ＨＡＲＱフィードバックフラグを含み、前記ＨＡＲＱフィードバックフラグは、各ダウンリンクデータが前記ＵＥにより正常に受信された場合には確認応答であり、前記各ダウンリンクデータが前記ＵＥにより正常に受信されなかった場合には否定応答であり、各ダウンリンク制御情報が前記ＵＥにより受信されなかった場合には、ダウンリンク制御情報の失敗の指標である、方法。
【請求項２２】
セルラ通信システムに対する基地局であって、
少なくとも１つの無線ユニットと、
少なくとも１つのプロセッサと、
前記少なくとも１つのプロセッサにより実行可能な命令を格納するメモリを有し、それにより、前記基地局は、
前記無線ユニットを介して、第１のサブフレームＴにおいてユーザ装置（ＵＥ）へダウンリンク制御情報を送信し、ここで、前記ダウンリンク制御情報はハイブリッド自動再送要求（ＨＡＲＱ）のタイミングオフセットＫの指標を含み、
前記無線ユニットを介して、第２のサブフレームＴ２においてＵＥへ第２のダウンリンク制御情報を送信し、ここで、前記第２のダウンリンク制御情報は、第２のＨＡＲＱのタイミングオフセットＫ２の指標を含み、前記タイミングオフセットＫ２は、対応するダウンリンク送信に対するＨＡＲＱフィードバックがサブフレームＴ＋Ｋにおいて生じるようなオフセットであり、
前記無線ユニットを介して、前記サブフレームＴ＋Ｋにおいて前記ＵＥからダウンリンクＨＡＲＱフィードバックを受信するように動作可能である、基地局。